【手続補正書】
【提出日】平成18年1月13日(2006.1.13)
【手続補正１】
【補正対象書類名】明細書
【補正対象項目名】発明の名称
【補正方法】変更
【補正の内容】
【発明の名称】ディスペンサおよび投与装置用表示装置
【手続補正２】
【補正対象書類名】明細書
【補正対象項目名】特許請求の範囲
【補正方法】変更
【補正の内容】
【特許請求の範囲】
【請求項１】  容器から定量された用量の物質を投与するためのディスペンサにおいて、
前記ディスペンサはディスペンサハウジングを備え、該ディスペンサハウジングは、頂部と、底部と、前記頂部で開きかつ長手方向に延びるキャビティと、前記底部から前記キャビティの中へ延びる支持ブロックとを有しており、前記支持ブロックは、長手方向軸線を構成するウェルと、前記ウェルと連通するオリフィスとを有しており、前記オリフィスは、前記長手方向軸線と平行でない方向に前記支持ブロックから開いており、
前記容器は、端部と、前記端部から延びかつ前記ウェルの中に配置された弁ステムと、閉鎖位置と開放位置との間で移動できる弁とを有しており、前記容器は、前記弁が前記開放位置に移動されたときに前記定量された用量の前記物質を投与するようになっており、前記容器は、前記ディスペンサハウジングに移動可能に連結されかつ前記長手方向軸線にそって前記ディスペンサハウジングに対して移動できるようになっており、
前記ディスペンサは、前記ディスペンサハウジングの前記キャビティに配置された表示装置を備えており、前記表示装置は、前記容器の前記端部のまわりに配置されかつ前記容器の前記端部に固定されたカラーと、容量表示を有するインジケータとを含んでおり、前記インジケータは、前記容器の前記端部の下方に前記キャビティに配置されており、
前記ディスペンサハウジングは、更に、前記キャビティの少なくとも一部を構成し長手方向に延びる壁を有し、前記支持ブロックは、前記壁から間隔を隔てられており、前記表示装置は、前記支持ブロックと前記壁との間において、少なくとも一部が前記キャビティに配置されたインジケータハウジングを有しており、
前記カラーは、前記インジケータハウジングと一体でないように形成される、
ことを特徴とするディスペンサ。
【請求項２】  前記容器の前記端部はネックを含んでおり、前記カラーは、前記容器の前記ネックのまわりに配置されたロックリングを含むことを特徴とする請求項１にに記載のディスペンサ。
【請求項３】  前記ロックリングは、前記ロックリングに形成された長手方向スリットを有しており、それによって、前記ロックリングは、前記ネックのまわりに前記ロックリングを配置するのが容易になるように拡張可能であることを特徴とする請求項２にに記載のディスペンサ。
【請求項４】  前記容器の前記端部は、前記ネックを構成するハブを含むことを特徴とする請求項２にに記載のディスペンサ。
【請求項５】  前記インジケータは、機械的な機構で構成されることを特徴とする請求項１にに記載のディスペンサ。
【請求項６】  前記機械的な機構は、前記容量表示を配置した少なくとも１つのインジケータ部材を含むことを特徴とする請求項５にに記載のディスペンサ。
【請求項７】  前記少なくとも１つのインジケータ部材は、同軸状に取り付けられた複数のインジケータ部材で構成されることを特徴とする請求項６にに記載のディスペンサ。
【請求項８】  前記複数のインジケータ部材は、前記長手方向軸線と実質的に平行でない回転軸のまわりに同軸状に取り付けられることを特徴とする請求項７にに記載のディスペンサ。
【請求項９】  前記カラーは、前記端部に係合するリップ部分を含むことを特徴とする請求項１に記載のディスペンサ。
【請求項１０】  前記カラーは、前記容器の前記端部のまわりに配置された管状部分を含むことを特徴とする請求項１に記載のディスペンサ。
【請求項１１】  前記カラーは、前記端部に係合し長手方向に延びる複数のアーム部材を含むことを特徴とする請求項１に記載のディスペンサ。
【請求項１２】  前記容器の前記端部はネックを含んでおり、前記アーム部材は、各々が、前記アーム部材から半径方向にかつ内方に延び、かつ、前記ネックに係合するリップ部分を含むことを特徴とする請求項１１に記載のディスペンサ。
【請求項１３】  前記カラーは、前記容器の前記端部のまわりに配置された第１のリングを含み、さらに、前記第１のリングから半径方向にかつ外方に、かつ、前記第１のリングのまわりに周方向に配置された第２のリングを含むことを特徴とする請求項１に記載のディスペンサ。
【請求項１４】  前記第２のリングは、前記第１のリングに連結されることを特徴とする請求項１３に記載のディスペンサ。
【請求項１５】  前記インジケータハウジングは、前記支持ブロックの少なくとも一部の周囲を取り囲むことを特徴とする請求項１に記載のディスペンサ。
【請求項１６】  キャビティを備えたディスペンサハウジング内に配置された容器から投与され、または、容器内に残存する医薬の定量された用量の数を示す表示装置であって、前記容器は、閉鎖位置と開放位置との間で移動できる弁を備えており、かつ、前記容器は、前記弁が開放位置に移動されるときに前記定量された用量を投与するように構成されている表示装置において、
前記表示装置はインジケータモジュールを備え、
前記インジケータモジュールは、
ディスペンサハウジングのキャビティ内に受け入れられるように形成されたモジュールハウジングと、
該モジュールハウジング内で移動可能に取り付けられた少なくとも１つのインジケータ部材とを有し、前記少なくとも１つのインジケータ部材は、容器から投与されまたは容器内に残存する定量された用量の数を示す表示を有し、前記少なくとも１つのインジケータ部材は、医薬の定量された用量の連続的投与に応答して前記モジュールハウジング内で移動して、容器から投与されまたは容器内に残存する定量された用量の数を表示できるように構成されており、
前記インジケータモジュールは、さらに、前記モジュールハウジング内で移動可能なアクチュエータ部材を有し、該アクチュエータ部材は、医薬の定量された用量の連続的投与に応答して、前記容器に対して移動して、前記少なくとも１つのインジケータ部材を前記モジュールハウジング内で移動させるようになっている、
ことを特徴とする表示装置。
【請求項１７】  前記キャビティを備えた前記ディスペンサハウジングを更に有し、前記ディスペンサハウジングは、支持ブロックと、該支持ブロックとの間に空間を形成するように前記支持ブロックから間隔を隔てて配置された壁とを有し、前記空間は前記キャビティの少なくとも一部を形成し、前記支持ブロックは容器から延びる弁ステムを受け入れる寸法をもつウェルを備え、前記モジュールハウジングは、前記壁と前記支持ブロックとの間の空間内に受け入れられるようになっており、前記モジュールハウジングは、前記ディスペンサハウジングに対して移動できないようになっていることを特徴とする請求項１６に記載の表示装置。
【請求項１８】  前記モジュールハウジングは、更に、覗き窓を有し、前記少なくとも１つのインジケータ部材の前記表示は、前記モジュールハウジングの前記覗き窓を介して使用者が見ることができるようになっていることを特徴とする請求項１６に記載の表示装置。
【請求項１９】  前記ディスペンサハウジングは、更に、覗き窓を有し、前記少なくとも１つのインジケータ部材の前記表示は、前記ディスペンサハウジングの前記覗き窓を介して使用者が見ることができるようになっていることを特徴とする請求項１７に記載の表示装置。
【請求項２０】  前記モジュールハウジングは、包囲体を形成するように接合された第１部材および第２部材を有することを特徴とする請求項１６に記載の表示装置。
【請求項２１】  前記容器に取り付けられるキー部材を更に有し、前記モジュールハウジングには通路が形成されており、前記キー部材は、前記容器を前記ディスペンサハウジングに操作可能に連結できるようにするために、前記通路内に受け入れられることを特徴とする請求項１６に記載の表示装置。
【請求項２２】  前記アクチュエータ部材は、前記モジュールハウジング内に配置されかつ前記通路の中に延びており、前記キー部材は、前記通路の中に受け入れられるときに前記アクチュエータ部材と係合し、前記アクチュエータ部材は、操作することによって前記少なくとも１つのインジケータ部材と選択的に連結されて、定量された用量の医薬の連続的な投与に応答して、前記少なくとも１つのインジケータ部材を移動させるようになっていることを特徴とする請求項２１に記載の表示装置。
【請求項２３】  前記モジュールハウジングは上面を有し、前記アクチュエータ部材は、前記キー部材から離脱するときに、前記上面と実質的に同一の面内に位置することを特徴とする請求項２２に記載の表示装置。
【請求項２４】  前記通路はスロットを有することを特徴とする請求項２１に記載の表示装置。
【請求項２５】  前記少なくとも１つのインジケータ部材は、複数のインジケータ部材で構成されることを特徴とする請求項１６に記載の表示装置。
【請求項２６】  前記アクチュエータ部材は、操作することによって前記容器と係合できるようになっており、前記アクチュエータ部材は、前記モジュールハウジング内で移動でき、かつ、前記複数のインジケータ部材のうちの少なくとも１つと選択的に係合し、前記閉鎖位置と前記開放位置との間ぬいおける前記弁の移動に応答して、前記少なくとも１つのインジケータ部材を移動させるようになっていることを特徴とする請求項２５に記載の表示装置。
【請求項２７】  前記モジュールハウジング内に配置され、かつ、前記アクチュエータ部材と係合して、前記アクチュエータ部材をモジュールハウジング内で上方に押圧するばねを更に有することを特徴とする請求項２６に記載の表示装置。
【請求項２８】  前記複数のインジケータ部材は、前記モジュールハウジング内で同軸状に取り付けられることを特徴とする請求項２５に記載の表示装置。
【請求項２９】  前記モジュールハウジングは、少なくとも１つの係合部材を更に有し、同軸状に配置された前記複数のインジケータ部材が、少なくとも第１インジケータ部材および第２インジケータ部材で構成され、前記第１インジケータ部材および前記第２インジケータ部材のうちの少なくとも一方が前進部材を有し、前記第１インジケータ部材および前記第２インジケータ部材のうちの少なくとも他方が複数の歯を有し、前記少なくとも１つの係合部材が前進部材と選択的に係合し、第１インジケータ部材が第２インジケータ部材に対して回転されるときに、前記前進部材を押圧して、前記第１インジケータ部材および前記第２インジケータ部材のうちの前記他方のインジケータ部材の前記複数の歯のうちの少なくとも１つの歯と係合させ、前記前進部材が、前記第２インジケータ部材を一定増分量だけ回転させることを特徴とする請求項２８に記載の表示装置。
【請求項３０】  前記アクチュエータ部材は前記モジュールハウジング内に取り付けられており、前記第１インジケータ部材は複数の歯を有し、前記アクチュエータ部材は、前記第１インジケータ部材の複数の歯のうちの少なくとも１つと選択的に係合し、前記弁の移動に応答して、前記第１インジケータ部材を一定増分量だけ前進させることを特徴とする請求項２９に記載の表示装置。
【請求項３１】  前記第１インジケータ部材および前記第２インジケータ部材と同軸状にモジュールハウジング内に取り付けられた第３インジケータ部材を更に有し、前記第２インジケータ部材および前記第３インジケータ部材のうちの少なくとも一方が前進部材を有し、前記第２インジケータ部材および前記第３インジケータ部材のうちの少なくとも他方が複数の歯を有し、前記モジュールハウジングは、更に、少なくとも第２係合部材を有し、前記第２係合部材は、前記第２インジケータ部材および前記第３インジケータ部材のうちの少なくとも一方の前進部材と選択的に係合し、前記第２インジケータ部材が前記第３インジケータ部材に対して回転されるときに、前記前進部材を押圧して、前記第２インジケータ部材および前記第３インジケータ部材のうちの前記他方のインジケータ部材の前記複数の歯のうちの少なくとも１つの歯と係合させ、前記前進部材が、前記第３インジケータ部材を一定増分量だけ回転させることを特徴とする請求項２９に記載の表示装置。
【請求項３２】  前記モジュールハウジングは、前記複数のインジケータ部材のうちの少なくとも１つのインジケータ部材の複数の歯の少なくとも１つと選択的に係合される少なくとも１つの戻り止め部材を更に有することを特徴とする請求項２９に記載の表示装置。
【請求項３３】  前記少なくとも１つのインジケータ部材は、周面を備えたインジケータホイールを有し、前記表示は、前記インジケータホイールの前記周面に記されていることを特徴とする請求項１６に記載の表示装置。
【請求項３４】  前記複数のインジケータの少なくとも１つが、更に、前記インジケータホイールと同軸状に前記インジケータホイールに取り付けられたラチェットギヤを有し、該ラチェットギヤは前記複数の歯を有することを特徴とする請求項２９に記載の表示装置。
【請求項３５】  請求項１６に記載の表示装置であって、更に、
前記モジュールハウジングに回転可能に取り付けられたラチェットホイールと、
第１回転軸線に沿って前記モジュールハウジングに回転可能に取り付けられたウォームとを有しており、該ウォームは、前記ラチェットホイールの回転によりウォームギヤが前記第１軸線の回りで回転されるように前記ラチェットホイールに連結されており、
前記少なくとも１つのインジケータ部材は、前記ウォームと係合するギヤを有し、該ギヤは、前記ウォームの第１回転軸線に対して実質的に垂直な第２回転軸線の回りで前記モジュールハウジングに取り付けられることを特徴とする表示装置。
【請求項３６】  前記アクチュエータ部材は、前記ラチェットホイールと選択的に係合し、医薬の定量された用量の投与に応答して、前記ラチェットホイールを回転させることを特徴とする請求項３５に記載の表示装置。
【請求項３７】  前記少なくとも１つのインジケータ部材は、平坦面を備えたインジケータホイールを備え、前記表示は、使用者に見えるように、前記インジケータホイールの前記平坦面に記されていることを特徴とする請求項１６に記載の表示装置。
【請求項３８】  請求項１７に記載の表示装置において、前記ディスペンサハウジングの前記キャビティは長手方向延長部を有し、前記表示装置は容器を更に有し、該容器は、この容器から長手方向に延び、かつ、閉鎖位置と開放位置との間で移動できる弁ステムを有し、前記容器は医薬の定量された複数の用量を収容しており、前記弁ステムは、この弁ステムが開放位置に移動されるときに、前記定量された複数の用量の１つを投与し、前記容器は、前記弁ステムがウェル内に受け入れられるようにしてハウジングのキャビティ内に配置され、前記容器は、前記キャビティの長手方向延長部に沿って前記ハウジング内で往復移動でき、これにより、前記弁ステムが前記ウェルの支持ブロックと係合することによって開放位置と閉鎖位置との間で移動でき、前記インジケータモジュールは前記容器と係合し、これにより、少なくとも１つのインジケータ部材が、前記ディスペンサハウジングに対する前記容器の往復移動に応答して移動されることを特徴とする表示装置。
【請求項３９】  前記容器に取り付けられたキー部材を更に有し、前記モジュールハウジングには通路が形成されており、前記キー部材は、前記容器の前記弁ステムが開放位置を占めるように、前記容器が前記ディスペンサハウジングに対して移動できるようにするため、前記通路内に受け入れられる形状を有することを特徴とする請求項３８に記載の表示装置。
【請求項４０】  前記アクチュエータ部材は、前記モジュールハウジング内に配置され、かつ、前記通路内に延びており、前記キー部材は、前記通路内に受け入れられるときに、前記アクチュエータ部材と係合し、前記アクチュエータ部材は、少なくとも１つのインジケータ部材を作動できるように、前記インジケータ部材に選択的に連結されることを特徴とする請求項３９に記載の表示装置。